(57)【要約】【課題】従来の如く不定型サイズ用紙に白黒画像を形成する際に不定型サイズ用紙の縦方向及び横方向の長さを入力するという煩雑な操作を不要とすることで、ユーザの負担を軽減すると共に使い勝手を向上させ、白黒画像を形成する不定型サイズ用紙が多数枚ある時でも迅速な処理を可能とする。【解決手段】画像形成装置は、自動カラー選択モード、カラーモード、白黒モードの指定、定型サイズ用紙、不定型サイズ用紙の選択、不定型サイズ用紙の縦方向及び横方向の長さ設定をするための画面を表示する操作部２１９と、不定型サイズ用紙が選択され、カラーモードが指定された時は、不定型サイズ用紙の縦方向及び横方向の長さ設定を有効とし、不定型サイズ用紙が選択され、白黒モードが指定された時は、不定型サイズ用紙の縦方向及び横方向の長さ設定を無効とする制御を行う本体制御部２００を備える。【選択図】　　　図２
2004004622.tif 000002
【特許請求の範囲】
【請求項１】
カラー画像の形成と白黒画像の形成が可能な画像形成装置であって、
不定型サイズ用紙にカラー画像を形成する場合は、該不定型サイズ用紙の縦方向及び横方向の長さの設定に基づいて画像形成を行い、不定型サイズ用紙に白黒画像を形成する場合は、該不定型サイズ用紙の縦方向及び横方向の長さを設定しなくても画像形成を可能とすることを特徴とする画像形成装置。
【請求項２】
カラー画像を形成するカラーモード又は白黒画像を形成する白黒モードを指定するモード指定手段と、
定型サイズ用紙又は不定型サイズ用紙を選択する用紙選択手段と、
不定型サイズ用紙の縦方向及び横方向の長さを設定する不定型サイズ設定手段と、
不定型サイズ用紙が選択され且つ前記カラーモードが指定された場合は、前記不定型サイズ設定手段を有効とし、不定型サイズ用紙が選択され且つ前記白黒モードが指定された場合は、前記不定型サイズ設定手段を無効とするように制御する制御手段とを有することを特徴とする請求項１記載の画像形成装置。
【請求項３】
前記白黒モード時に不定型サイズ用紙への画像形成を行う際に、不定型サイズ用紙の縦方向及び横方向の長さを設定するか否かを指定する白黒モード時指定手段を有し、
前記制御手段は、不定型サイズ用紙が選択され且つ前記白黒モードが指定された場合に、前記白黒モード時指定手段が無効な時は前記不定型サイズ設定手段を無効とし、前記白黒モード時指定手段が有効な時は前記不定型サイズ設定手段を有効とするように制御することを特徴とする請求項２記載の画像形成装置。
【請求項４】
原稿がカラー原稿であるか白黒原稿であるかを判別する判別手段を有し、
前記モード指定手段は、更に、前記カラーモードで画像形成を行うか前記白黒モードで画像形成を行うかの画像形成条件を用紙ごとに判別する自動カラー選択モードを指定可能であり、
前記制御手段は、前記自動カラー選択モードが指定され且つ原稿がカラー原稿と判別された場合は、原稿に対応する用紙へはカラー画像の形成を行い、前記自動カラー選択モードが指定され且つ原稿が白黒原稿と判別された場合は、原稿に対応する用紙へは白黒画像の形成を行い、前記自動カラー選択モードが指定され且つ不定型サイズ用紙が選択された場合は、原稿がカラー原稿と判別された時点で前記不定型サイズ設定手段を有効とするように制御することを特徴とする請求項２記載の画像形成装置。
【請求項５】
前記自動カラー選択モードが指定され且つ不定型サイズ用紙が選択された場合に、画像形成に先立って必ず前記不定型サイズ設定手段を有効とするか、原稿がカラー原稿と判別された時点で前記不定型サイズ設定手段を有効とするかを指定する自動カラー時指定手段を有することを特徴とする請求項４記載の画像形成装置。
【請求項６】
原稿サイズを検知する原稿サイズ検知手段を有し、
原稿サイズが定型サイズ用紙以外のサイズであると検知された場合、前記用紙選択手段により不定型サイズ用紙が選択されることを特徴とする請求項２記載の画像形成装置。
【請求項７】
前記原稿サイズ検知手段は、更に、原稿の縦方向及び横方向の長さも検知可能であり、
前記制御手段は、原稿サイズが定型サイズ用紙以外のサイズであると検知された場合、不定型サイズ用紙の縦方向及び横方向の長さを設定するための画面を表示し、操作者による設定及び確認に基づいて画像形成を実行するように制御することを特徴とする請求項６記載の画像形成装置。
【請求項８】
用紙の有無を検知する用紙検知手段と、前記用紙検知手段の用紙検知結果に基づいて用紙サイズを算出する用紙サイズ算出手段とを有し、
前記制御手段は、不定型サイズ用紙へ画像形成を行う際に、前記不定型サイズ設定手段が有効な場合は、設定された不定型サイズ用紙の縦方向及び横方向の長さに基づいて画像形成を実行するように制御し、前記不定型サイズ設定手段が無効な場合は、最初の用紙については用紙の給送時に前記用紙検知手段により用紙検知を実行すると共に前記用紙サイズ算出手段により用紙サイズを算出し、２枚目以降の用紙については前記算出された用紙サイズに基づいて画像形成を実行するように制御することを特徴とする請求項２記載の画像形成装置。
【請求項９】
カラー画像の形成と白黒画像の形成が可能な画像形成装置の用紙設定制御方法であって、
不定型サイズ用紙にカラー画像を形成する場合は、該不定型サイズ用紙の縦方向及び横方向の長さの設定に基づいて画像形成を行い、不定型サイズ用紙に白黒画像を形成する場合は、該不定型サイズ用紙の縦方向及び横方向の長さを設定しなくても画像形成を可能とすることを特徴とする用紙設定制御方法。
【請求項１０】
不定型サイズ用紙が選択され且つカラー画像を形成するカラーモードが指定された場合は、不定型サイズ用紙の縦方向及び横方向の長さを設定する不定型サイズ設定機能を有効とし、不定型サイズ用紙が選択され且つ白黒画像を形成する白黒モードが指定された場合は、前記不定型サイズ設定機能を無効とすることを特徴とする請求項９記載の用紙設定制御方法。
【請求項１１】
不定型サイズ用紙が選択され且つ前記白黒モードが指定された場合に、前記白黒モード時に不定型サイズ用紙への画像形成を行う際に不定型サイズ用紙の縦方向及び横方向の長さを設定するか否かを指定する白黒モード時指定機能が無効な時は、前記不定型サイズ設定機能を無効とし、前記白黒モード時指定機能が有効な時は、前記不定型サイズ設定機能を有効とすることを特徴とする請求項１０記載の用紙設定制御方法。
【請求項１２】
前記カラーモードで画像形成を行うか前記白黒モードで画像形成を行うかの画像形成条件を用紙ごとに判別する自動カラー選択モードが指定され且つ原稿がカラー原稿と判別された場合は、原稿に対応する用紙へはカラー画像の形成を行い、前記自動カラー選択モードが指定され且つ原稿が白黒原稿と判別された場合は、原稿に対応する用紙へは白黒画像の形成を行い、前記自動カラー選択モードが指定され且つ不定型サイズ用紙が選択された場合は、原稿がカラー原稿と判別された時点で前記不定型サイズ設定機能を有効とすることを特徴とする請求項１０記載の用紙設定制御方法。
【請求項１３】
前記自動カラー選択モードが指定され且つ不定型サイズ用紙が選択された場合に、画像形成に先立って必ず前記不定型サイズ設定手段を有効とするか、原稿がカラー原稿と判別された時点で前記不定型サイズ設定手段を有効とするかを指定する自動カラー時指定が可能であることを特徴とする請求項１２記載の用紙設定制御方法。
【請求項１４】
原稿サイズが定型サイズ用紙以外のサイズであると検知された場合、不定型サイズ用紙が選択されることを特徴とする請求項１０記載の用紙設定制御方法。
【請求項１５】
原稿サイズが定型サイズ用紙以外のサイズであると検知された場合、不定型サイズ用紙の縦方向及び横方向の長さを設定するための画面を表示し、操作者による設定及び確認に基づいて画像形成を実行することを特徴とする請求項１４記載の用紙設定制御方法。
【請求項１６】
不定型サイズ用紙へ画像形成を行う際に、前記不定型サイズ設定機能が有効な場合は、設定された不定型サイズ用紙の縦方向及び横方向の長さに基づいて画像形成を実行し、前記不定型サイズ設定機能が無効な場合は、最初の用紙については用紙の給送時に用紙検知を実行すると共に用紙サイズを算出し、２枚目以降の用紙については前記算出された用紙サイズに基づいて画像形成を実行することを特徴とする請求項１０記載の用紙設定制御方法。
【発明の詳細な説明】
【０００１】
【発明の属する技術分野】
本発明は、カラー画像の出力を行うカラーモードと白黒画像の出力を行う白黒モードとを有する複写機等に適用する場合に好適な画像形成装置、用紙設定制御方法に関する。
【０００２】
【従来の技術】
カラー画像の出力を行う従来の画像形成装置では、画像を形成する記録媒体として不定型サイズの用紙を用いる場合には、その用紙の縦方向と横方向の長さをユーザが入力する必要があった。これは、用紙のサイズが不明であると、用紙サイズよりも画像サイズの方が大きい状況が発生したときに、用紙サイズを越えた分のトナーが装置内に飛散し、これが原因で不良画像や装置の故障を招く恐れがあるからである。特に１つの感光体によりカラー画像を形成する１Ｄ系の構成では、画像形成により多くの時間を要するため、装置内でのトナーの飛散は問題となりやすい。
【０００３】
また、白黒画像の出力を行う従来の画像形成装置では、同じ理由でトナーの飛散が起こる可能性があるものの、一般にはカラー画像よりも画像形成に要する時間が短いためにその可能性は低く抑えられ、画質に及ぶ影響も小さいので、不定型サイズの用紙サイズ設定をユーザに強要しないのが通常である。
【０００４】
一方、カラー画像と白黒画像の双方の出力が可能な従来の画像形成装置では、不定型サイズ用紙を用いるとき、白黒画像の形成を行う場合であっても、用紙の縦方向と横方向の長さをユーザが入力していた。
【０００５】
【発明が解決しようとする課題】
しかしながら、上記従来技術においては次のような問題があった。カラー画像と白黒画像の双方の出力が可能な画像形成装置において、白黒画像の形成を行う場合であっても用紙の縦方向と横方向の長さをユーザが入力していたため、カラー画像よりも白黒画像の形成を行うことの方が多いユーザにとっては、上記のような従来の技術では余計な入力の手間が増えるために操作が煩雑になり、負担が増大するという課題がある。
【０００６】
本発明は、上述した点に鑑みなされたものであり、従来の如く不定型サイズ用紙に白黒画像を形成する際に不定型サイズ用紙の縦方向及び横方向の長さを入力するという煩雑な操作を不要とすることで、ユーザの負担を軽減すると共に、使い勝手を向上させ、白黒画像を形成する不定型サイズ用紙が多数枚ある時でも迅速な処理を可能とした画像形成装置、用紙設定制御方法を提供することを目的とする。
【０００７】
【課題を解決するための手段】
上記目的を達成するため、本発明は、カラー画像の形成と白黒画像の形成が可能な画像形成装置であって、不定型サイズ用紙にカラー画像を形成する場合は、該不定型サイズ用紙の縦方向及び横方向の長さの設定に基づいて画像形成を行い、不定型サイズ用紙に白黒画像を形成する場合は、該不定型サイズ用紙の縦方向及び横方向の長さを設定しなくても画像形成を可能とすることを特徴とする。
【０００８】
また、本発明は、カラー画像を形成するカラーモード又は白黒画像を形成する白黒モードを指定するモード指定手段と、定型サイズ用紙又は不定型サイズ用紙を選択する用紙選択手段と、不定型サイズ用紙の縦方向及び横方向の長さを設定する不定型サイズ設定手段と、不定型サイズ用紙が選択され且つ前記カラーモードが指定された場合は、前記不定型サイズ設定手段を有効とし、不定型サイズ用紙が選択され且つ前記白黒モードが指定された場合は、前記不定型サイズ設定手段を無効とするように制御する制御手段とを有することを特徴とする。
【０００９】
また、本発明は、前記白黒モード時に不定型サイズ用紙への画像形成を行う際に、不定型サイズ用紙の縦方向及び横方向の長さを設定するか否かを指定する白黒モード時指定手段を有し、前記制御手段は、不定型サイズ用紙が選択され且つ前記白黒モードが指定された場合に、前記白黒モード時指定手段が無効な時は前記不定型サイズ設定手段を無効とし、前記白黒モード時指定手段が有効な時は前記不定型サイズ設定手段を有効とするように制御することを特徴とする。
【００１０】
また、本発明は、原稿がカラー原稿であるか白黒原稿であるかを判別する判別手段を有し、前記モード指定手段は、更に、前記カラーモードで画像形成を行うか前記白黒モードで画像形成を行うかの画像形成条件を用紙ごとに判別する自動カラー選択モードを指定可能であり、前記制御手段は、前記自動カラー選択モードが指定され且つ原稿がカラー原稿と判別された場合は、原稿に対応する用紙へはカラー画像の形成を行い、前記自動カラー選択モードが指定され且つ原稿が白黒原稿と判別された場合は、原稿に対応する用紙へは白黒画像の形成を行い、前記自動カラー選択モードが指定され且つ不定型サイズ用紙が選択された場合は、原稿がカラー原稿と判別された時点で前記不定型サイズ設定手段を有効とするように制御することを特徴とする。
【００１１】
また、本発明は、前記自動カラー選択モードが指定され且つ不定型サイズ用紙が選択された場合に、画像形成に先立って必ず前記不定型サイズ設定手段を有効とするか、原稿がカラー原稿と判別された時点で前記不定型サイズ設定手段を有効とするかを指定する自動カラー時指定手段を有することを特徴とする。
【００１２】
また、本発明は、原稿サイズを検知する原稿サイズ検知手段を有し、原稿サイズが定型サイズ用紙以外のサイズであると検知された場合、前記用紙選択手段により不定型サイズ用紙が選択されることを特徴とする。
【００１３】
また、本発明は、前記原稿サイズ検知手段は、更に、原稿の縦方向及び横方向の長さも検知可能であり、前記制御手段は、原稿サイズが定型サイズ用紙以外のサイズであると検知された場合、不定型サイズ用紙の縦方向及び横方向の長さを設定するための画面を表示し、操作者による設定及び確認に基づいて画像形成を実行するように制御することを特徴とする。
【００１４】
また、本発明は、用紙の有無を検知する用紙検知手段と、前記用紙検知手段の用紙検知結果に基づいて用紙サイズを算出する用紙サイズ算出手段とを有し、前記制御手段は、不定型サイズ用紙へ画像形成を行う際に、前記不定型サイズ設定手段が有効な場合は、設定された不定型サイズ用紙の縦方向及び横方向の長さに基づいて画像形成を実行するように制御し、前記不定型サイズ設定手段が無効な場合は、最初の用紙については用紙の給送時に前記用紙検知手段により用紙検知を実行すると共に前記用紙サイズ算出手段により用紙サイズを算出し、２枚目以降の用紙については前記算出された用紙サイズに基づいて画像形成を実行するように制御することを特徴とする。
【００１５】
【発明の実施の形態】
以下、本発明の実施の形態を図面に基づいて詳細に説明する。各図において、同一の参照番号を付した部材は同一部材を表すものとし、重複説明は省略する。
【００１６】
図１は、本発明の第１の実施形態を示す画像形成装置１００の概略断面図である。画像形成装置１００は、筐体の上部を構成するデジタルカラー画像リーダ部１５０（以下、「リーダ部１５０」と記す）、筐体の下部を構成するデジタルカラー画像プリンタ部１７０（以下、「プリンタ部１７０」と記す）を備え、カラー画像の出力を行うカラー画像形成モード（以下、カラーモードと称す）と白黒画像の出力を行う白黒画像形成モード（以下、白黒モードと称す）、カラーモードで画像形成を行うか白黒モードで画像形成を行うかの画像形成条件を原稿毎に自動判別する自動カラー選択モード（以下、ＡＣＳモードと称す）、とを有する。
【００１７】
リーダ部１５０は、原稿載置台として使用される原稿台ガラス１０１と、原稿照明ランプ１０３・走査ミラー１０４を有するスキャナ１０２と、走査ミラー１０５、１０６と、レンズ１０７と、フルカラーイメージセンサ部１０８（以下、「イメージセンサ部１０８」と記す）とを具備する。スキャナ１０２は、モータ（不図示）により駆動され、所定方向に往復走査する。原稿照明ランプ１０３は、原稿に照射する光を発するランプである。走査ミラー１０４〜１０６、レンズ１０７は、原稿照明ランプ１０３から原稿に照射した光の反射光像をイメージセンサ部１０８に導光する。イメージセンサ部１０８は、ＲＧＢ３色分解フィルタと一体形成されており、ＣＣＤセンサを備えている。
【００１８】
スキャナ１０２が原稿台ガラス１０１に載置された原稿の走査を行う際は、原稿照明ランプ１０３が原稿に照射した光の反射光像を走査ミラー１０４〜１０６を介してレンズ１０７を通過させ、イメージセンサ部１０８内のＣＣＤセンサに結像し、カラー色分解画像アナログ信号を得る。カラー色分解画像アナログ信号は、後述のＣＣＤ２０１において増幅回路（不図示）を経てデジタル化される。なお、リーダ部１５０には、原稿のサイズ（Ａ３、Ａ４、Ｂ４、Ｂ５等）を検知すると共に原稿の縦方向及び横方向の長さも検知可能な原稿サイズ検知センサ２２０（図２参照）が配設されている。
【００１９】
リーダ部１５０にて、一つの原稿に対して、まず最初に原稿がカラー原稿であるか白黒原稿であるかを調べるために走査を行ってから、次に原稿の画像データを得るために再度走査することで、カラーモード、白黒モードを自動的に判別することが可能である。
【００２０】
カラー原稿か白黒原稿であるかの判別は、このように原稿の走査を２回行う方法の他に、原稿の原稿載置ガラス１０１への給送時に流し読みにより判別をしてから、固定読みによる原稿画像の走査を行う、あるいは判別のためのＣＣＤを原稿読取のためのＣＣＤよりも原稿の給送方向に対して上流に別途設けるなど、さまざまな方法があるが、本発明はいずれの方法に限定するものではない。
【００２１】
プリンタ部１７０は、画像形成部１１０を具備する。画像形成部１１０は、露光制御部１０９と、感光体ドラム１１１と、クリーニング装置１１２と、前露光ランプ１１３と、一次帯電器１１４と、黒色現像器１１５と、回転現像器１１６と、中間転写ベルト１１７と、一次転写帯電器１１８とによって構成される。露光制御部１０９は、レーザ光発生部とポリゴンスキャナ等で構成されており、リーダ部１５０のイメージセンサ部１０８で電気信号に変換され更に所定の画像処理が施された画像信号に基づいて変調されたレーザ光１２０を発生し、像担持体である感光体ドラム１１１に照射する。
【００２２】
感光体ドラム１１１は、モータ（不図示）により矢印方向に回転駆動され、前露光ランプ１１３で除電され、一次帯電器１１４によって所定の電位に一様に帯電された後、露光制御部１０９が発するレーザ光１２０の照射を受け、表面に静電潜像が形成される。感光体ドラム１１１上に形成された静電潜像は、所定の現像器を動作させて現像することで、感光ドラム１１１上にトナー画像として形成される。回転現像器１１６は、イエロー、マゼンダ、シアンの各色に対応する現像器１２２、１２３、１２４で構成される。感光ドラム１１１上にトナー画像を形成する際に、カラー画像の形成を行う場合は、回転現像器１１６をモータ（不図示）の回転により、現像を行う各分解色に応じて１２２〜１２４の所定の現像器を択一的に感光ドラム１１１に近接させるようにし、黒色の現像を行うときは、感光ドラム１１１に近接して配置された黒色現像装置１１５を用いる。白黒画像の形成を行う場合は、黒色現像装置１１５のみが用いられる。
【００２３】
感光体ドラム１１１上に現像されたトナー画像は、１次転写帯電器１１８によって印加された高圧により、中間転写ベルト１１７に転写される。カラー画像形成の場合は４色のトナー像を中間転写ベルト１１７に重ねて転写し、白黒画像の場合は黒色トナー像のみを転写する。なお、本実施の形態では、中間転写ベルト１１７の全周の１／２以下の記録材（用紙）を用いる場合には、２枚の記録材に対応する中間転写ベルト１１７上の領域に対して同時に画像形成が可能である。１次転写終了後の感光体ドラム１１１は、表面の残留トナーがクリーニング装置１１２により清掃された後、再度、画像形成工程に供される。
【００２４】
プリンタ部１７０は、更に、２次転写帯電器１３８と、紙搬送ベルト１３９と、定着器１４０と、排紙フラッパ１４１と、右カセットデッキ１２５と、左カセットデッキ１２６と、上段カセットデッキ１２７と、下段カセットデッキ１２８とを具備する。カセットデッキ１２５〜１２８には、画像形成部１１０において中間転写ベルト１１７上に形成されたトナー画像を転写する用紙が格納されている。
【００２５】
右カセットデッキ１２５に格納された用紙は、ピックアップローラ１２９と給紙ローラ１３３とによって給送され、レジストローラ１３７により中間転写ベルト１１７上のトナー画像を用紙に転写する２次転写位置へと搬送される。同様に、左カセットデッキ１２６内の用紙については、ピックアップローラ１３０と給紙ローラ１３４とによって給送され、上段カセットデッキ１２７内の用紙については、ピックアップローラ１３１と給紙ローラ１３５とによって給送され、下段カセットデッキ１２８内の用紙１２８については、ピックアップローラ１３２と給紙ローラ１３６とによって給送され、レジストローラ１３７により２次転写位置へと搬送される。
【００２６】
用紙の給送はマルチ手差し給紙段１６０から行うこともできる。ＯＨＰ紙や不定型サイズ用紙、その他の利用頻度が比較的少ない用紙への画像形成を行う場合は、主にマルチ手差し給紙段１６０から用紙を給送する。なお、マルチ手差し給紙段１６０には、用紙をプリンタ部１７０へまっすぐ給送するためのガイド１６２（図１７）、およびセンサ（不図示）が設けられており、このガイドの幅をセンサにより検出することで、用紙の幅（主走査方向の長さ）を検知することができる。
【００２７】
また、レジストローラ１３７の手前に設置された用紙検知センサ２２１（図２参照）が用紙を検知している時間から、給送している用紙の給送方向についてのおよその大きさを得ることができるので、不定型サイズ用紙を給送する際は、その用紙の縦方向及び横方向のおよその大きさを算出することが可能である。白黒画像の形成時に、大きさを指定することなく不定型サイズ用紙を給紙する場合は、一枚目に給送した用紙にて用紙の大きさを算出し、二枚目以降に給送した用紙への画像形成については、算出した大きさに基づいて露光時に画像データの不要部分（もし存在すれば）は露光しないように後述のレーザユニット２０４にて制御する。
【００２８】
画像形成部１１０において、トナー像を中間転写ベルト１１７へ転写し終えた後、カセットデッキからレジストローラ１３７に搬送された用紙は２次転写位置である２次転写ローラ１３８の位置へと搬送され、用紙への２次転写が行われる。２次転写終了後の中間転写ベルト１１７は、表面の残留トナーがクリーニング装置１２１で清掃された後、再度、画像形成工程に供される。また、本例においては、所望のタイミングで偏心カム（不図示）を動作させることにより、中間転写ベルト１１７と２次転写ローラ１３８とのギャップが任意に設定可能な構成となっている。カラー画像を形成する際に、複数色のトナー像を中間転写ベルト１１７上に重ねて形成するときはギャップを設け、トナー像を用紙に転写するときはギャップを無くすようになっている。また、スタンバイ中や電源オフ時にはギャップを設ける。
【００２９】
２次転写が終了した用紙は、２次転写ローラ１３８を通過した後、搬送ベルト１３９により搬送され、熱ローラ方式の定着器１４０において加圧と加熱をすることによって、用紙上に転写されたトナーが定着され、排出ローラ１４８によって画像形成装置１００の外部に排出される。
【００３０】
図２は画像形成装置１００の制御回路の構成を示すブロック図である。画像形成装置１００の制御回路は、本体制御部２００と、ＣＣＤ２０１と、画像処理部２０２と、画像データセレクタ２０３と、レーザユニット２０４と、画像形成部１１０と、ＣＰＵ間通信インタフェース（Ｉ／Ｆ）部２０６と、画像データ圧縮／伸長部２０７とを有する。本体制御部２００は、画像形成装置１００に設けられているリーダ部１５０（画像読取部）とプリンタ部１７０の画像形成部１１０等に対する駆動制御を行う。また、本体制御部２００は、ＣＰＵと、このＣＰＵに作業領域を提供するＲＡＭと、上記ＣＰＵの制御プログラムを格納しているＲＯＭとによって構成されている。
【００３１】
なお、上記ＲＯＭは、後述する各動作モードを実行するための制御プログラムと、画像形成装置１００全体を制御する制御プログラムとを格納している。例えば、上記ＲＯＭは、ＣＣＤ２０１が読み取った画像データを画像処理部２０２を用いて所定の画像データに変換する制御プログラムと、画像データセレクタ２０３が受け取った画像データをレーザユニット２０４、画像データ圧縮／伸長部２０７、画像メモリ２０８、ファンクション制御部２０９のうちのいずれかに送出するように切り替える制御プログラムとを格納している。また、上記ＲＯＭは、原稿給送装置制御部２１６を用いて原稿を給送する制御プログラムと、後処理装置制御部２１７に設定されている所定のモードを実行する制御プログラムと、画像データに対して所定の処理を施す制御プログラムと、インデックス紙挿入モードなどを画像形成装置１００が実行するように制御する制御プログラムとを格納している。
【００３２】
ＣＣＤ２０１は、上述した原稿台ガラス１０１と原稿照明ランプ１０３と光学系等とによって構成されているリーダ部１５０（画像読取部）に設けられており、上記原稿照明ランプ１０３が照射する光のうちで、原稿から反射する光をとらえて光電変換し、この光電変換によって得られた画像データを出力する。画像処理部２０２は、ＣＣＤ２０１が出力した画像データに対して、所定の画像処理を施す。なお、上記所定の画像処理は、操作部２１９を介して設定された画像処理モードに応じた処理である。画像データセレクタ２０３は、画像データバスを介して、レーザユニット２０４と、画像データ圧縮部２０７と、画像メモリ２０８と、ファンクション制御部２０９とに接続されており、本体制御部２００から制御情報を受け取り、この受け取った制御情報に基づいて、画像データが流れる方向を決定する。
【００３３】
レーザユニット２０４は、画像形成部１１０に設けられている感光ドラム１１１に対してレーザ露光を行うユニットである。画像形成部１１０は、上述のように、レーザ露光によって感光ドラム１１１に形成された画像を中間転写ベルト１１７に形成し、次いで用紙に転写する。ＣＰＵ間通信Ｉ／Ｆ部２０６は、本体制御部２００とファンクション制御部２０９との間で制御情報を送受信するインタフェースである。画像データ圧縮／伸長部２０７は、画像データセレクタ２０３から出力された画像データを、大容量不揮発性メモリであるＨＤ（ハードディスク）２１２に蓄積する際に、ＨＤ２１２における画像データの占有率を節約することを目的として、上記出力された画像データを圧縮する。また、画像データ圧縮／伸長部２０７は、圧縮されてＨＤ２１２に格納されている画像データを、画像データセレクタ２０３へ転送する際に、圧縮前の元の画像データに伸長する。
【００３４】
また、画像形成装置１００の制御回路は、画像メモリ２０８と、ファンクション制御部２０９と、ＣＰＵ間通信インタフェース（Ｉ／Ｆ）部２１０と、ＨＤ（ハードディスク）制御部２１１と、ＨＤ（ハードディスク）２１２と、スキャン画像変更部２１３と、プリント画像変換部２１４と、ネットワーク通信インタフェース（Ｉ／Ｆ）部２１５と、原稿給送装置制御部２１６と、後処理装置制御部２１７と、原稿読取制御部２１８と、操作部２１９とを有する。画像メモリ２０８は、画像データセレクタ２０３が送出した画像データを一時的に格納するメモリである。上記格納された画像データは、必要に応じて画像データセレクタ２０３に送出される。なお、画像メモリ２０８は、揮発性メモリで構成されている。ファンクション制御部２０９は、本体制御部２００との間で通信し、本体制御部２００から受け取った画像データ制御情報を、スキャン画像変換部２１３とプリント画像変換部２１４とへ送出する。
【００３５】
プリント画像変換部２１４は、ネットワーク通信Ｉ／Ｆ部２１５からプリント画像データ受け取り、この受け取った画像データに所定の変換処理を施し、この変換処理された画像データを画像データセレクタ２０３へ送出する。ファンクション制御部２０９は、操作部２１９を介して入力された制御情報であって画像形成装置１００全体を制御する制御情報を、ＣＰＵ間通信Ｉ／Ｆ２０６を介して本体制御部２００へ送出する。ＣＰＵ間通信Ｉ／Ｆ２１０は、ＨＤ２１２に記憶されている画像データに関する制御情報を、ＨＤ制御部２１１と本体制御部２００との間で送受するインタフェースである。
【００３６】
ＨＤ制御部２１１は、画像データ圧縮／伸長部２０７が送出した画像データをＨＤ２１２が記憶するように、ＨＤ２１２を制御する。また、ＨＤ制御部２１１は、記憶されている画像データを読み出し、この読み出した画像データを画像データ圧縮／伸長部２０７へ送出するように、ＨＤ２１２を制御する。なお、ＨＤ制御部２１１がＨＤ２１２を制御するために必要な制御情報は、ＣＰＵ間通信Ｉ／Ｆ２１０を介して本体制御部２００から受け取る。ＨＤ２１２は、不揮発性ＲＡＭよって構成されている。
【００３７】
スキャン画像変更部２１３は、画像データセレクタ２０３が送出した画像データを、ＰＤＬ（Ｐａｇｅ　Ｄｅｓｃｒｉｐｔｉｏｎ　Ｌａｎｇｕａｇｅ）によって記述される画像データに変換し、この変換された画像データを、画像形成装置１００にネットワーク通信Ｉ／Ｆ２１５を介して接続されているホストコンピュータ（不図示）に転送する。なお、上記ホストコンピュータは、ＰＤＬによって記述された画像データを処理することができる。また、スキャン画像変更部２１３は、上記ホストコンピュータから受け取ったＰＤＬの画像データを、画像形成部１１０が印字出力できる形式の画像データに変更する。また、スキャン画像変更部２１３における上記変更処理は、本体制御部２００の制御に基づいて行われる。
【００３８】
ネットワーク通信Ｉ／Ｆ２１５は、画像形成装置１００をネットワークに接続する。そして、ネットワーク通信Ｉ／Ｆ２１５は、所定の通信規約（プロトコル）に基づいて、上記ネットワークに接続されている機器（例えばコンピュータ）との間で画像データや制御情報を送受する。
【００３９】
原稿給送装置制御部２１６は、本体制御部２００が送出した制御情報に基づいて、原稿給送装置１８０を制御する。後処理制御部２１７は、本体制御部２００が送出した制御情報に基づいて後処理装置１９０を制御する。原稿読取制御部２１８は、本体制御部２００が送出した制御情報に基づいて光学ユニット駆動装置を制御する。なお、上記光学ユニット駆動装置が光学ユニットを駆動する。また、上記光学ユニットは、原稿照射手段（原稿照明ランプ１０３）と光学手段（走査ミラー１０４〜１０６、レンズ１０７）等とを具備し、これらの手段を用いて原稿を照射する。また、上記光学ユニットが駆動されることによって、原稿に記録されている画像がＣＣＤ２０１に結像される。
【００４０】
操作部２１９は、画像形成装置１００に情報を入力するときにユーザが使用する。また、操作部２１９を介して、画像形成装置１００の動作状況がユーザに示される。なお、操作部２１９に設けられているキーを介して入力されたキー情報が、ファンクション制御部２０９に通知される。そして、ファンクション制御部２０９が、上記キー情報のコマンドを解析し、この解析されたコマンドをＣＰＵ間Ｉ／Ｆ２０６を介して本体制御部２００に送出することによって、ユーザが入力した制御情報が本体制御部２００に通知される。
【００４１】
図３は画像形成装置１００の操作部２１９の構成を示す図である。操作部２１９は、テンキー３０１と、スタートキー３０２と、ストップキー３０３と、ＬＣＤ３０４（Ｌｉｑｕｉｄｅ−ｃｒｙｓｔａｌ　ｄｉｏｄｅ３０４）と、ユーザモードキー３０５とを有する。テンキー３０１は、コピーの置数やコピーするときの画像移動量などを入力するときにユーザが使用するキーである。スタートキー３０２は、コピージョブをスタートするときにユーザが押し下げるキーである。ストップキー３０３は、スタートしたジョブを途中で停止するときにユーザが押し下げるキーである。ＬＣＤ３０４は、画像形成装置１００の動作状態を表示する液晶表示部である。また、ＬＣＤ３０４には、タッチパネルスイッチが設けられており、このパネルスイッチを介してコピージョブのモードをユーザが設定することができる。
【００４２】
ユーザモードキー３０５は、ユーザモード画面をＬＣＤ３０４に表示するときにユーザが押し下げるキーである。上記ユーザモード画面において、画像形成装置１００が有する各機能毎の仕様、例えば後述の自動カラー選択モード、カラー画像形成モード、白黒画像形成モードのいずれかの指定がユーザにより明示的になされなかった場合に標準モードとして選択させるモードの設定や、白黒画像形成時に用紙サイズが不定型サイズ用紙である場合に用紙サイズの縦方向及び横方向のサイズ入力を行うか否かの設定や、或いは自動カラー選択モード時で用紙サイズが不定型サイズ用紙である場合に最初に用紙の縦横サイズの入力を行うかカラー原稿を検知した時点で縦横サイズの入力を行うかを指定する設定などといった、複写機の標準動作をユーザが設定することができる。
【００４３】
図４は画像形成装置１００の操作部２１９のＬＣＤ３０４における標準状態での表示画面４００を示す図である。表示画面４００において、４０１、４０２は画像形成を行う際の倍率を設定するためのボタンである。４０３は用紙選択ボタンであり、各種の定型サイズ及び不定型サイズ用紙などの用紙のサイズを指定するためのものである。用紙選択ボタン４０３を押下すると、後述の用紙選択画面（図７）に示すような画面がＬＣＤ３０４に表示される。
【００４４】
４０４、４０５、４０６は、それぞれ自動カラー選択（ＡＣＳ）モード（カラーモードで画像形成を行うか白黒モードで画像形成を行うかの画像形成条件を用紙毎に判別するモード）、カラーモード、白黒モードにて画像形成を行うためのボタンである。画像形成時に、ユーザがこれらのモードのいずれも指定しなかった場合には、後述のユーザモード画面（図５）にて設定したモードで画像形成が行われる。４０７、４０８、４０９は画像の印字濃度を調整するためのボタンである。４１０は排紙処理装置（不図示）にて用紙束に対して行うステイプル等の処理を指定するためのボタンである。４１１は原稿から読み取った画像に基づき用紙に画像形成を行う際に、片面から片面、片面から両面、或いは両面から片面、両面から両面のいずれの形式で画像を配置するかを指定するためのボタンである。４１２は各種の応用モードを指定するためのボタンである。
【００４５】
図５は操作部２１９のユーザモードキー３０５の押下によってＬＣＤ３０４に表示されるユーザモード画面の表示例の一つであり、画像形成時にユーザが、自動カラー選択（ＡＣＳ）モード、カラーモード、或いは白黒モードのいずれかを明示的に指定しなかったときに、標準のモードとして動作するモードを指定する表示画面５００を示す図である。表示画面５００において、ボタン５０１を押下すると自動カラー選択（ＡＣＳ）モードが標準のモードとして選択され、ボタン５０２を押下するとカラーモードが標準のモードとして選択され、５０３を押下すると白黒モードが標準のモードとして選択される。選択が済んだらボタン５０４を押下し、設定を終了する。
【００４６】
図６も操作部２１９のユーザモード画面の表示例の一つであり、不定型サイズ用紙設定方法指定画面６００を示す図である。この不定型サイズ用紙設定方法指定画面６００では、自動カラー選択（ＡＣＳ）モードにおいて不定型サイズ用紙が選択されているときに、不定型サイズ用紙の縦方向及び横方向の長さの指定を必ず行うか或いはカラー原稿が検知されたときに行うかの設定、及び白黒モードにおいて不定型サイズ用紙が選択されているときに、不定型サイズ用紙の縦方向及び横方向の長さの指定を行うか否かの設定を行う。
【００４７】
ボタン６０１が押下されていれば、自動カラー選択（ＡＣＳ）モード時に不定型サイズ用紙に画像形成を行うときは必ず用紙の縦方向及び横方向の長さの指定を行い、ボタン６０２が押下されている場合には、原稿読取り時にカラー原稿が検出されたら長さの指定を行い、カラー原稿が検出されなければ長さの指定は行わない。ボタン６０１とボタン６０２は排他的に選択され、同時に押下することはできない。また、ボタン６０３が押下されている場合、白黒モード時に不定型サイズ用紙に画像形成を行うときは必ず縦方向及び横方向の長さの指定を行い、ボタン６０４が押下されている場合は、長さの指定は行わない。ボタン６０３とボタン６０４も排他的に選択される。
【００４８】
図７は上記図４に示した操作部２１９のＬＣＤ３０４の標準画面４００において、用紙選択ボタン４０３を押下したときに表示される用紙選択画面７００を示す図である。用紙選択画面７００において、不定型サイズ用紙を選択する場合は、マルチ手差し給紙段１６０より給紙を行うので、手差し給紙ボタン７０７を押下する。それ以外の定型サイズ用紙を選択する場合は、所望のサイズをボタン７０１〜ボタン７０６の押下により選択する。選択が済んだらボタン７０９を押下し、設定を終了する。
【００４９】
図８は上記図７に示した操作部２１９のＬＣＤ３０４の用紙選択画面７００において、手差し給紙ボタン７０７を押下したとき、またはマルチ手差し給紙段１６０に用紙がセットされたときに表示される手差し給紙用紙サイズ選択画面８００である。手差し給紙用紙サイズ選択画面８００において、不定型サイズ用紙を手差し給紙段から給紙する場合は、フリーサイズボタン８０８を押下し、それ以外の定型サイズ用紙を給紙する場合は、所望のサイズをボタン８０１〜ボタン８０７、及びボタン８０９の押下により選択する。選択が済んだらボタン８１１を押下すると、下記の手差し給紙用紙タイプ選択画面（図９）がＬＣＤ３０４に表示される。
【００５０】
図９は上記図８に示した操作部２１９のＬＣＤ３０４の手差し給紙用紙サイズ選択画面８００において、ボタン８１１を押下したときに表示される手差し給紙用紙タイプ選択画面９００を示す図である。手差し給紙用紙タイプ選択画面９００において、用紙のタイプ（厚紙、第２原図、ＯＨＰフィルム、ラベル用紙）をボタン９０１〜ボタン９０７の押下により選択し、ボタン９０９を押下して設定を終える。
【００５１】
図１０は操作部２１９のＬＣＤ３０４に表示される不定型サイズ用紙の縦方向及び横方向の長さを指定するための表示画面１０００を示す図である。この表示画面１０００は、上述の不定型サイズ用紙設定方法指定画面（図６）における設定に従って表示される。なお、不定型サイズ用紙設定方法指定画面において何も設定がなされていない場合に、不定型サイズ用紙に画像形成を行うときは必ずこの表示画面１０００を表示し、用紙の縦方向及び横方向の長さの指定を行う。用紙の横方向の設定を行うときはエントリ１００１を押下し、操作部２１９（図３）上のテンキー３０１より用紙の横方向の長さを入力する。同様に、縦方向の設定を行うときはエントリ１００２を押下し、テンキー３０１より長さを入力する。なお、用紙の縦方向の設定に関しては、表示画面１０００を表示する際にマルチ手差し給紙段１６０のガイド幅の検知結果を読取リ、この検知結果を予め設定した状態で表示画面１０００を表示し、所望の設定値と異なるときだけユーザが入力するという構成にしてもよい。
【００５２】
次に、画像形成装置１００の操作部２１９の上記表示画面を介したユーザの設定に基づく本体制御部２００の制御を図１１乃至図１６の各フローチャートに基づき説明する。尚、各フローチャートの処理は本体制御部２００が本体制御部内のＲＯＭに格納されたプログラムに基づき実行する。
【００５３】
図１１において、一例として、本体制御部２００は、操作部２１９の表示画面上でのユーザ操作に基づき、不定型サイズ用紙の選択の有無を判別する（ステップＳ１）。次にカラーモードか否かを判別（ステップＳ２）、つまり、ボタン５０２の押下により標準モードとしてカラーモードが予め指定されておりユーザによりプリント時にボタン４０４、４０６が押下されていない場合、またはカラーモードボタン４０５が押下された場合は、不定型サイズ用紙の縦方向及び横方向の長さを指定するための画面１０００（図１０）を表示するよう制御する（ステップＳ３）。カラーモードではない場合は、ＡＣＳモードか否かを判別（ステップＳ４）、つまり、ボタン５０１の押下により標準モードとしてＡＣＳモードが予め指定されておりユーザによりプリント時にボタン４０５、４０６が押下されていない場合、またはＡＣＳモードボタン４０４が押下された場合は、原稿を読み取り（ステップＳ５）、原稿読取り時にカラー原稿が検出されたら不定型サイズ用紙の縦方向及び横方向の長さを指定するための画面１０００を表示するよう制御する（ステップＳ３）。カラー原稿が検出されなければ不定型サイズ用紙の縦方向及び横方向の長さの指定のための画面１０００は表示せずに（ステップＳ７）、プリントをする（ステップＳ８）。
【００５４】
カラーモード、ＡＣＳモードでもない場合は、白黒モードなので（ステップＳ６）、つまり、ボタン５０３の押下により標準モードとして白黒モードが予め指定されておりユーザによりプリント時にボタン４０４、４０５が押下されていない場合、または白黒モードボタン４０６が押下された場合は、不定型サイズ用紙の縦方向及び横方向の長さの指定のための画面１０００は表示せずに（ステップＳ７）、プリントをする（ステップＳ８）。
【００５５】
これによりカラーモードにて不定型サイズの用紙へ画像形成を行う場合には、不定型サイズ用紙の縦方向及び横方向の長さを設定を要求し、白黒モードにて不定型サイズの用紙へ画像形成を行う場合には、不定型サイズ用紙の縦方向及び横方向の長さを設定しなくても画像形成を可能とする。
【００５６】
図１２は、他の一例として、図１１のフローにおいて白黒モード時に不定型サイズ用紙への画像形成を行う際、不定型サイズ用紙の縦方向及び横方向の長さの設定を行うか否かをユーザモード設定（図６）に基づいて判別するステップを追加したものである（ステップＳ９）。これは、操作性の向上よりも白黒画像に対する画質についての要求に重点をおくユーザに対応するために、あえて白黒モード時でも不定型サイズの用紙サイズ設定をユーザに要求するもので、図６の６０３が設定されているときに動作するものである。図１１と同じステップ番号については、図１１における説明の通りで、白黒モード時（ステップＳ６）、つまり、ボタン５０３の押下により標準モードとして白黒モードが予め指定されておりユーザによりプリント時にボタン４０４、４０５が押下されていない場合、または白黒モードボタン４０６が押下された場合で、ボタン６０３が選択されているかを判別し（ステップＳ９）、選択されている場合には、不定型サイズ用紙の縦方向及び横方向の長さを指定するための画面１０００（図１０）を表示するよう制御する（ステップＳ３）。
【００５７】
図１３は、他の一例として、図１１のフローにおいて白黒モード時に不定型サイズ用紙への画像形成を行う際、不定型サイズ用紙の縦方向及び横方向の長さの設定を行うか否かをユーザモード設定（図６）に基づいて判別するステップ（ステップＳ９）とＡＣＳモード時で不定型サイズ用紙への画像形成を行う際に原稿の種別に関係なく、不定型サイズ用紙の縦方向及び横方向の長さの設定を行うか否かをユーザモード設定（図６）に基づいて判別するステップを追加したものである（ステップＳ１０）。これも図１２同様、画質に重点をおくユーザに対応するために、不定型サイズの用紙サイズ設定をユーザに要求するもので、図６の６０１、６０３が設定されているときに動作するものである。図１１、図１２と同じステップ番号については、先述の通りで、ＡＣＳモードか否かを判別（ステップＳ４）、つまり、ボタン５０１の押下により標準モードとしてＡＣＳモードが予め指定されておりユーザによりプリント時にボタン４０５、４０６が押下されていない場合、またはＡＣＳモードボタン４０４が押下された場合で、ボタン６０１が選択されているかを判別し（ステップＳ１０）、ボタン６０１が選択されている場合は、画像形成に先だって必ず不定型サイズ用紙の縦方向及び横方向の長さ指定のための画面１０００を表示する。ボタン６０２が選択されている場合は、原稿読取時にカラー原稿が検出（ステップＳ５）された時点で不定型サイズ用紙の縦方向及び横方向の長さ指定のための画面１０００を表示する。
【００５８】
図１４は、他の一例として、カラーモードと白黒モードのみの系で、不定形サイズ用紙が選択された場合で、カラーモード時は画面１０００を表示、モノクロモード時は画面１０００を非表示とするものである。つまり、本体制御部２００は、操作部２１９の表示画面上でのユーザ操作に基づき、不定型サイズ用紙の選択の有無とモードの指定状況を判別する（ステップＳ１１）。用紙選択ボタン４０３の押下により不定型サイズ用紙が選択され、且つボタン５０２の押下によりカラーモードが指定された場合は、不定型サイズ用紙の縦方向及び横方向の長さを指定するための画面１０００（図１０）を表示するよう制御する（ステップＳ１２）。用紙選択ボタン４０３の押下により不定型サイズ用紙が選択され、且つボタン５０３の押下により白黒モードが指定された場合は、不定型サイズ用紙の縦方向及び横方向の長さの指定のための画面１０００は表示しない（ステップＳ１３）。
【００５９】
図１５において、他の一例として、本体制御部２００は、原稿サイズ検知センサ２２０の検知信号に基づき、原稿のサイズを判別する（ステップＳ４１）。原稿サイズが定型サイズ用紙以外のサイズと判別した場合は、不定型サイズ用紙の縦方向及び横方向の長さを指定するための画面を表示する。ユーザは画面上で不定型サイズ用紙の縦方向及び横方向の長さを設定し、その設定内容を確認する（ステップＳ４２）。ユーザにより設定内容が正しい旨の確認が行われると、画像形成部１１０により画像形成を実行する（ステップＳ４３）。
【００６０】
図１６において、他の一例として、本体制御部２００は、不定型サイズ用紙への画像形成を行う際に、ユーザモード設定（図６）に基づき、不定型サイズ用紙設定が有効か無効かを判別する（ステップＳ５１）。不定型サイズ用紙設定が有効（ボタン６０３が選択されている）の場合は、設定された不定型サイズ用紙の縦方向及び横方向の長さに基づき画像形成を行う（ステップＳ５２）。不定型サイズ用紙設定が無効（ボタン６０４が選択されている）の場合は、用紙が１枚目（最初の用紙）か２枚目以降かを判別する（ステップＳ５３）。最初の用紙については、用紙の給送時に用紙検知センサ２２１により用紙検知を行うと共に検知結果に基づき用紙サイズを算出し、算出した用紙サイズに基づき画像形成を行う（ステップＳ５４）。２枚目以降の用紙については、上記算出済みの用紙サイズに基づき画像形成を行う（ステップＳ５５）。
【００６１】
以上説明したように、本実施の形態によれば、カラー画像の出力を行うカラーモードと白黒画像の出力を行う白黒モードとを有する複写機等の画像形成装置において、カラーモードにて不定型サイズの用紙へ画像形成を行う場合には、不定型サイズ用紙の縦方向及び横方向の長さを設定し、白黒モードにて不定型サイズの用紙へ画像形成を行う場合には、不定型サイズ用紙の縦方向及び横方向の長さを設定しなくても画像形成を可能とすることで、従来の如く不定型サイズ用紙に白黒画像を形成する際に不定型サイズ用紙の縦方向及び横方向の長さを入力するという煩雑な操作が不要となり、ユーザの負担を軽減することができると共に、使い勝手が向上するという効果を実現できる。また、白黒画像を形成する不定型サイズ用紙が多数枚ある時でも、上記のように煩雑な操作が不要となるため、迅速な処理が可能となる効果を実現できる。
【００６２】
［他の実施の形態］
本実施の形態では、画像形成装置の画像形成方式を電子写真方式とした場合を例に挙げたが、本発明はこれに限定されるものではなく、インクジェット方式、静電方式、熱転写方式など各種画像形成方式に適用することができる。
【００６３】
本実施の形態では、画像形成装置を、画像読取機能・画像形成機能を備えた複写機とした場合を例に挙げたが、本発明はこれに限定されるものではなく、画像読取機能・画像形成機能・画像通信機能を備えた複合機に適用することができる。
【００６４】
本実施の形態では、画像形成装置単体の場合を例に挙げたが、本発明はこれに限定されるものではなく、画像形成装置と、パーソナルコンピュータ等の情報処理装置やデジタルカメラ等の撮像装置等の電子機器とを通信可能に各々任意台数接続したシステムに適用することができる。
【００６５】
また、本発明は、複数の機器から構成されるシステムに適用しても、１つの機器からなる装置に適用してもよい。上述した実施形態の機能を実現するソフトウエアのプログラムコードを記憶した記憶媒体等の媒体をシステム或いは装置に供給し、そのシステム或いは装置のコンピュータ（またはＣＰＵやＭＰＵ）が記憶媒体等の媒体に格納されたプログラムコードを読み出し実行することによっても、本発明が達成されることは言うまでもない。
【００６６】
この場合、記憶媒体等の媒体から読み出されたプログラムコード自体が上述した実施形態の機能を実現することになり、そのプログラムコードを記憶した記憶媒体等の媒体は本発明を構成することになる。プログラムコードを供給するための記憶媒体等の媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭ、或いはネットワークを介したダウンロードなどを用いることができる。
【００６７】
また、コンピュータが読み出したプログラムコードを実行することにより、上述した実施形態の機能が実現されるだけでなく、そのプログラムコードの指示に基づき、コンピュータ上で稼動しているＯＳなどが実際の処理の一部または全部を行い、その処理によって上述した実施形態の機能が実現される場合も、本発明に含まれることは言うまでもない。
【００６８】
更に、記憶媒体等の媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって上述した実施形態の機能が実現される場合も、本発明に含まれることは言うまでもない。
【００６９】
【発明の効果】
以上説明したように、本発明によれば、カラー画像の出力を行うカラーモードと白黒画像の出力を行う白黒モードとを有する画像形成装置において、カラーモードにて不定型サイズの用紙へ画像形成を行う場合には、不定型サイズ用紙の縦方向及び横方向の長さを設定し、白黒モードにて不定型サイズの用紙へ画像形成を行う場合には、不定型サイズ用紙の縦方向及び横方向の長さを設定しなくても画像形成を可能とすることで、従来の如く不定型サイズ用紙に白黒画像を形成する際に不定型サイズ用紙の縦方向及び横方向の長さを入力するという煩雑な操作が不要となり、ユーザの負担を軽減することができると共に、使い勝手が向上するという効果を実現できる。また、白黒画像を形成する不定型サイズ用紙が多数枚ある時でも、上記のように煩雑な操作が不要となるため、迅速な処理が可能となる効果を実現できる。
【図面の簡単な説明】
【図１】本発明の実施の形態に係る画像形成装置の模式的な構成を示す構成図である。
【図２】本実施の形態に係る画像形成装置の制御回路の構成を示すブロック図である。
【図３】本実施の形態に係る画像形成装置の操作部の構成を示す図である。
【図４】本実施の形態に係る画像形成装置の操作部上のＬＣＤの標準画面を示す図である。
【図５】本実施の形態に係る画像形成装置の画像形成時にユーザによりモードが指定されなかった場合に、標準の状態として選択されるモードを指定するためのユーザモードの表示画面を示す図である。
【図６】本実施の形態に係る画像形成装置の不定型サイズ用紙選択時において用紙の縦方向及び横方向の長さの設定方法を指定するための不定型サイズ用紙設定方法指定画面を示す図である。
【図７】本実施の形態に係る画像形成装置の用紙サイズ選択画面を示す図である。
【図８】本実施の形態に係る画像形成装置の用紙サイズ選択画面において手差し給紙段を選択したときに表示される手差し給紙用紙サイズ選択画面を示す図である。
【図９】本実施の形態に係る画像形成装置の手差し給紙段より給紙する用紙のタイプを選択するための手差し給紙用紙タイプ選択画面を示す図である。
【図１０】本実施の形態に係る画像形成装置の不定型サイズ用紙の縦方向及び横方向の長さを指定するための表示画面を示す図である。
【図１１】本実施の形態に係る画像形成装置の操作部の表示画面を介した操作に基づく処理を示すフローチャートである。
【図１２】本実施の形態に係る画像形成装置の操作部の表示画面を介した操作に基づく処理を示すフローチャートである。
【図１３】本実施の形態に係る画像形成装置の操作部の表示画面を介した操作に基づく処理を示すフローチャートである。
【図１４】本実施の形態に係る画像形成装置の操作部の表示画面を介した操作に基づく処理を示すフローチャートである。
【図１５】本実施の形態に係る画像形成装置の操作部の表示画面を介した操作に基づく処理を示すフローチャートである。
【図１６】本実施の形態に係る画像形成装置の操作部の表示画面を介した操作に基づく処理を示すフローチャートである。
【図１７】本実施の形態に係るマルチ手差し給紙段の模式的な構成を示す構成図である。
【符号の説明】
１００　画像形成装置
２００　本体制御部（判別手段、用紙サイズ算出手段）
２１９　操作部（モード指定手段、用紙選択手段、不定型サイズ設定手段、白黒モード時指定手段、自動カラー時指定手段、）
２２０　原稿サイズ検知センサ（原稿サイズ検知手段）
２２１　用紙検知センサ（用紙検知手段）
【図１】
2004004622.tif 000003
【図２】
2004004622.tif 000004
【図３】
2004004622.tif 000005
【図４】
2004004622.tif 000006
【図５】
2004004622.tif 000007
【図６】
2004004622.tif 000008
【図７】
2004004622.tif 000009
【図８】
2004004622.tif 000010
【図９】
2004004622.tif 000011
【図１０】
2004004622.tif 000012
【図１１】
2004004622.tif 000013
【図１２】
2004004622.tif 000014
【図１３】
2004004622.tif 000015
【図１４】
2004004622.tif 000016
【図１５】
2004004622.tif 000017
【図１６】
2004004622.tif 000018
【図１７】
2004004622.tif 000019